(57)【特許請求の範囲】
【請求項１】
上面が開口したトレー状の容器本体と、
該容器本体の上面開口を覆うように該上面開口の周囲の部分に剥離可能にシールされた蓋体とを備え、
電子レンジで加熱すると前記容器本体内に収容された被調理物が加熱調理されるように成した密封容器であって、
前記容器本体と前記蓋体にて形成される内部空間内に、前記電子レンジによる加熱処理によって内圧が上昇して自動的に開封し、芳香成分が外部に放散されるように成した密封包装体を設け、
前記密封包装体は、剥離可能なシール部によって密封された外装体の内部に、芳香成分及び水を含浸させた不織布が収容されたものであって、気化した水が芳香成分とともに外部に放散されるように成したものであることを特徴とする密封容器。
【請求項２】
前記密封包装体を前記蓋体の内面に設けたことを特徴とする請求項１に記載の密封容器。
【請求項３】
前記外装体が扁平な袋体であることを特徴とする請求項１又は請求項２に記載の密封容器。
【請求項４】
前記外装体が、上面が開口したトレー状の外装体本体と、該外装体本体の上面開口を覆うように該上面開口の周囲の部分に剥離可能にシールされた蓋体とからなることを特徴とする請求項１又は請求項２に記載の密封容器。
【請求項５】
前記容器本体の上面開口を覆う蓋体が前記外装体本体の上面開口を覆う蓋体を兼ねることを特徴とする請求項４に記載の密封容器。
【発明の詳細な説明】
【０００１】
【発明の属する技術分野】
本発明は、上面が開口したトレー状の容器本体と、該容器本体の上面開口を覆うように該上面開口の周囲の部分に剥離可能にシールされた蓋体とを備え、電子レンジで加熱すると容器本体内に収容された被調理物が加熱調理されるように成した密封容器に関するものである。
【０００２】
【従来の技術】
この種の密封容器は、調理の際に被調理物を別の容器に移し換える必要がないため調理が容易であるという利点と、被調理物が収容された容器本体をそのまま食器として利用することにより後片付けが容易になるという利点とを有しており、一人暮らしの人々を中心に需要が広まりつつあり、その適用範囲は様々な種類の料理に及ぶようになってきている。
【０００３】
従来、この種の密封容器を芳香の有る料理（例えば、ゴマ油を用いた中華惣菜等）に適用する場合には、▲１▼芳香成分が収容された小袋を密封容器に添付しておき、調理者がこの小袋を開封して芳香成分を被調理物にふりかける、▲２▼芳香成分を含浸させたシートを被調理物に接するように容器本体内に入れておく、▲３▼芳香成分をあらかじめ被調理物にふりかけておく、等の手段によって被調理物に芳香を与えるようにしていた。
【０００４】
また、被調理物が蒸し料理である場合には、電子レンジで加熱している際に被調理物に含まれている水分が無くなって被調理物が乾燥固化しないよう、▲１▼調理者が調理前に被調理物に水をふりかける、▲２▼水を含浸させたシートを被調理物にかぶせておく、等の手段が採られることがあった。
【０００５】
【発明が解決しようとする課題】
上述したような被調理物に芳香を与える従来技術のうち、▲１▼の場合には、小袋を開封して芳香成分を被調理物にふりかけなければならないため手間がかかるという問題点が有り、▲２▼の場合には、シートにかびが生えやすいという問題点と、シートに含浸させた芳香成分が被調理物に移行しにくく、被調理物全体に芳香成分がゆきわたりにくいという問題点とが有り、▲３▼の場合には、芳香が経時劣化するという問題点が有った。
【０００６】
また、上述したような被調理物に水分を与える従来技術の場合、▲１▼は手間がかかるという問題点と、調理者が適切な水分の量を見きわめるのが困難であるという問題点が有り、▲２▼はシートにかびが生えやすいという問題点が有った。
【０００７】
本発明は上述した事情に鑑みて創案されたものであって、その目的は、芳香の有る料理に適した密封容器及び芳香の有る蒸し料理に適した密封容器を提供することにある。
【０００８】
【課題を解決するための手段】
上述した目的を達成するために、本発明の密封容器は、上面が開口したトレー状の容器本体と、該容器本体の上面開口を覆うように該上面開口の周囲の部分に剥離可能にシールされた蓋体とを備え、電子レンジで加熱すると前記容器本体内に収容された被調理物が加熱調理されるように成した密封容器であって、前記容器本体と前記蓋体にて形成される内部空間内に、前記電子レンジによる加熱処理によって内圧が上昇して自動的に開封し、芳香成分が外部に放散されるように成した密封包装体を設け、前記密封包装体は、剥離可能なシール部によって密封された外装体の内部に、芳香成分及び水を含浸させた不織布が収容されたものであって、気化した水が芳香成分とともに外部に放散されるように成したものであることを特徴とするものである。
【０００９】
また、本発明の密封容器において、前記密封包装体を前記蓋体の内面に設ける構成であってもよい。
【００１２】
また、本発明の密封容器において、前記外装体が扁平な袋体である構成であってもよい。
【００１３】
また、本発明の密封容器において、前記外装体が、上面が開口したトレー状の外装体本体と、該外装体本体の上面開口を覆うように該上面開口の周囲の部分に剥離可能にシールされた蓋体とからなる構成であってもよい。
【００１４】
また、本発明の密封容器において、前記容器本体の上面開口を覆う蓋体が前記外装体本体の上面開口を覆う蓋体を兼ねる構成であってもよい。
【００１５】
【発明の実施の形態】
以下、本発明の具体的な実施形態を図面を参照しながら説明する。
図１は本発明の第１の実施形態の密封容器１の斜視図、図２は図１のＡ−Ａ’線断面図、図３は密封包装体４の平面図、図４は密封包装体４の作用の説明図である。
【００１６】
図１、２に示すように、密封容器１は、上面が開口したトレー状の容器本体２と、この容器本体２の上面開口２ａを覆うように上面開口２ａの周囲のフランジ２ｂの上面に剥離可能にヒートシールされた蓋体３とを備えており、容器本体２内には、被調理物Ｘが収容されている。蓋体３の内面には密封包装体４が貼着されており、密封包装体４は、図３に示すように、ピロータイプの扁平な袋体からなる外装体５の内部に、ゴマ油、酒等の芳香成分含有物及び水を含浸させた不織布６が収容されたものである。
【００１７】
容器本体２は、外層と熱接着性の内層とからなるフィルムによって形成されている。外装の素材としては、例えば、機械的、物理的、化学的等において優れた性質を有する、ポリエチレンテレフタレート、ポリアミド、ポリエチレン、ポリプロピレン等のポリオレフィン、ポリ塩化ビニル、ポリカーボネート、ポリビニルアルコール、エチレンープロピレン共重合体、エチレンー酢酸ビニル共重合体ケン化物等の樹脂や紙を用いることができる。
【００１８】
内層の素材としては、密封性、自動包装機適性、易剥離性、とりわけ、耐油性、耐熱性の点から、ポリプロピレン系樹脂とポリエチレン系樹脂とオレフィン系共重合体ゴムの混合樹脂が好適である。
【００１９】
前記混合樹脂の一組成物であるポリプロピレン系樹脂としては、例えば、結晶性プロピレンランダム共重合体であって、プロピレンとエチレン、ブテンー１、ペンテンー１、ヘキセンー１、３ーメチルブテンー１、４ーメチルペンテンー１、オクテンー１等のαーオレフィンとのランダム共重合体等が挙げられ、なかでも結晶性プロピレンーエチレンランダム共重合体が好ましい。なお、ランダム共重合体としては、多段重合で得られるホモポリプロピレンとの混合物であっても構わない。
【００２０】
また、前記混合樹脂の一組成物であるポリエチレン系樹脂としては、例えば、高圧法低密度ポリエチレン、直鎖状低密度ポリエチレン、中密度ポリエチレン、および高密度ポリエチレン等のいずれのエチレン単独共重合体を使用することができる他に、プロピレン、ブテンー１、ペンテンー１、ヘキセンー１、３ーメチルブテンー１、４ーメチルペンテンー１、オクテンー１等のαーオレフィン、または、酢酸ビニル等との結晶性、あるいは、低結晶ないし非結晶性のランダムもしくはブロック共重合体、あるいは、これらの混合物等を用いることができるが、なかでも高圧法低密度ポリエチレンが好ましい。
【００２１】
また、前記混合樹脂の一組成物であるオレフィン系共重合体ゴムとしては、例えば、エチレン、プロピレン、ブテンー１、ヘキセンー１、４ーメチルペンテンー１等のモノオレフィンのうちの二種、または三種以上のモノオレフィン共重合体ゴム、ならびに、前記モノオレフィンの二種とジシクロペンタジエン、１、４ーヘキサジエン、シクロオクタジエン、メチレンノルボルネン、エチリデンノルボルネン等の非共役ジオレフィン、または、ブタジエン、イソプレン等の共役ジオレフィンとの共重合体ゴムを用いることができるが、なかでもエチレンプロピレン共重合体ゴム、エチレンブテン共重合体ゴム、プロピレンブテン共重合体ゴムが好ましい。
【００２２】
前記混合樹脂の各組成物の配合割合は、混合樹脂１００重量％に対して、ポリプロピレン系樹脂は４５〜６５重量％、ポリエチレン系樹脂は３５〜５５重量％、オレフィン系共重合体ゴムは２〜５重量％の範囲で用いるのが適当である。また、前記混合樹脂を内層の熱接着性樹脂層として単独使用する場合の厚さとしては２０〜６０μｍが適当であり、好ましくは２５〜５０μｍである。また、必要に応じて、前記内層の熱接着性樹脂層の支持体として、ホモポリプロピレンないし結晶性プロピレンランダム共重合体等を用い、前記支持体と前記ポリプロピレン系樹脂とポリエチレン系樹脂とオレフィン系共重合体ゴムとの混合樹脂を共押し出ししたものであってもよく、その場合の前記混合樹脂の厚さと前記支持体の厚さは被調理物の種類等により適宜選択すればよい。
【００２３】
また、容器本体２の内層と外層の間に中間層を設けてもよく、この中間層は、内層と外層だけでは容器本体としての気体遮断性、機械的強靭性、耐屈曲性、耐突き刺し性、耐衝撃性、耐摩耗性、耐寒性、耐熱性、耐薬品性等の機能を十分に果たすことができない場合等に設けられる。この中間層として用いられる樹脂としては、例えば、ポリエチレンテレフタレート、ポリアミド、ポリエチレン、ポリプロピレン等のポリオレフィン、ポリ塩化ビニル、ポリカーボネート、ポリビニルアルコール、エチレンープロピレン共重合体、エチレンー酢酸ビニル共重合体ケン化物等の樹脂を用いることができる。また、これらの樹脂の二種以上を組み合わせて使用することができる。
【００２４】
なお、外層及び中間層に用いる樹脂の厚さとしては、容器として要求される機能を果たすことができればよいのであって、必要に応じて適宜に選ぶことができる。
また、外層と中間層に用いる樹脂をフィルム化して用いる場合には、これらのフィルムにポリ塩化ビニリデンを塗工したフィルム、ないしは、酸化珪素、酸化アルミニウム等の無機物の蒸着を施したフィルム、あるいは、ポリ塩化ビニリデン等のフィルムを使用することができる。
【００２５】
蓋体３は、外層と熱接着性の内層とからなるフィルムによって形成されている。外層の素材としては、例えば、機械的、物理的、化学的等において優れた性質を有する、ポリエステル系、ポリアミド系、ポリプロピレン系、ポリカーボネート系、ポリアセタール系等の樹脂を用いることができ、また、セロハン、合成紙等も用いることができる。
【００２６】
また、外層として使用するフィルムは、印刷が施されることが多いために、印刷適性が求められる。そのようなフィルムとしては、二軸方向に延伸した延伸フィルムが好適である。このフィルムの厚さとしては、強度、剛性等が必要最低限に保持され得る厚さであればよく、コストを考慮すると１２〜３０μｍ程度が適当である。また、前記フィルムは、必要に応じてポリ塩化ビニリデンが塗工されたフィルムや酸化珪素、酸化アルミニウム等の無機物の蒸着層が形成されたフィルムとしてバリアー性を有する構成としてもよい。
【００２７】
蓋体３の内層の素材としては、容器本体２の内層と同じものを用いることができる。
容器本体２の場合と同様に、蓋体３の外層と内層の間に中間層を設けてもよい。この中間層の素材としては、容器本体２の中間層と同じものの他に、紙、セロハン、合成紙、不織布等を用いることもでき、また、これらの基材を複数種類組み合わせたものを使用することもできる。なお、中間層の厚さとしては、容器として要求される機能を果たすことができればよいのであって、必要に応じて適宜に選ぶことができる。
【００２８】
蓋体３は、容器本体２のフランジ２ｂに公知の方法によってヒートシールされる。図１に示すように、容器本体２のフランジ２ｂには、フランジ２ｂの先端縁に沿って形成される帯状のシール部７の内縁よりも内側に位置するように複数個の通蒸孔２ｃが形成されており、シール部７の内縁における通蒸孔２ｃに対向する部位には、内側に向けて突出し、通蒸孔２ｃを包含する半円状の突出部７ａが形成されている。なお、通蒸孔２ｃの個数及び形状は任意に決めることができる。また、突出部７ａの形状は、その先端部に剥離力が集中する形状であれば、他の形状であってもよい。また、突出部７ａはシール部７の他の辺に設けてもよく、複数の箇所に設けるようにしてもよい。
【００２９】
密封包装体４の外装体５は、蓋体３のフィルムと同様の構成のフィルムによって形成されている。外装体５は、このフィルムを筒状に折り曲げ、図３に示すように、両側端部を合掌貼りして帯状の背シール部８を形成するとともに両端縁に沿って帯状の端縁シール部９、１０を形成したものである。この場合、優先的に開封しようとするシール部の幅を他のシール部の幅よりも狭くしたり、シール強度を弱くしたりする。
【００３０】
また、背シール部８に、その基端部から先端縁に向けて突出するように三角形状等に形成された非シール部を一個または複数個設けるようにしてもよい。この場合、外装体５の内圧が上昇すると、この非シール部の先端部から背シール部８の先端縁に向かって剥離が始まり、剥離が先端縁に達すると外装体５が開封する。
【００３１】
密封包装体４の不織布６は、例えば、天然の木材パルプ繊維等の吸液性が良好な素材によって形成されている。このように、吸液性の高い不織布を用いることにより、製造時において芳香成分や水のたれ落ちを防止することができ、取り扱い性が向上するとともに、一定量の芳香成分と水を外装体５内部に確実に封入することができるため、密封包装体４の開封に要する時間と被調理物Ｘに与えられる芳香成分及び水分の量を精度良くコントロールすることができる。密封包装体４は、背シール部８が被調理物Ｘに対向するように蓋体３の内面にホットメルト等によって貼着されている。
【００３２】
次に、上述した構成の密封容器１の作用について説明する。
密封容器１を電子レンジに入れ、電子レンジのタイマーを密封容器１に記載された所定の調理時間にセットし、電子レンジのスタートボタンを押して密封容器１の加熱を開始すると、密封包装体４の不織布６に含浸させた水分が気化し始めて密封包装体４の内圧が上昇し、図４に示すように、外装体５全体が膨らむ。また、容器本体２に収容された被調理物Ｘに含まれる水分が気化し始めて容器本体２の内圧が上昇し、蓋体３が外側に膨らむ。
【００３３】
加熱時間の経過に伴って容器本体２及び外装体５の内圧は次第に上昇してゆき、まず、外装体５において、背シール部８及び／または端縁シール部９、１０の剥離が始まり、剥離がシール部の先端縁に達すると外装体５内部の気化した水分及び芳香成分が外部に噴出する。噴出した芳香成分は四方に放散して被調理物Ｘの上面全体にわたって付着し、被調理物Ｘ全体に万遍なく浸透する。また、気化した適量の水分が被調理物Ｘに与えられるため、被調理物Ｘが乾燥固化するのを防止することができるとともに被調理物Ｘが美味しく蒸し上がる。
【００３４】
次に、容器本体２と蓋体３のシール部７が突出部７ａの先端部から剥離し始め、剥離が通蒸孔２ｃに達すると、容器本体２内部の蒸気が通蒸孔２ｃを介して外部に噴出する。これによって、密封容器１の破裂が防止される。
【００３５】
所定の調理時間が終了すると、密封容器１は電子レンジから取り出され、蓋体３が容器本体２から剥離除去される。このとき、容器本体２内部に充満している蒸気が外部に放散し、蒸気中に含まれている芳香成分によって香ばしい匂いが周囲に漂い、食する者の食欲を刺激する。
【００３６】
次に、本発明の第２の実施形態を説明する。
図５は第２の実施形態の密封容器１１の斜視図、図６は図５のＢ−Ｂ’線拡大断面図である。
なお、本実施形態において、第１の実施形態と同等の部分には同一の符号を付してある。
【００３７】
本実施形態では、密封包装体１２が、上面が開口したトレー状の外装体本体１３を有しており、その内部に、芳香成分及び水を含浸させた不織布６が収容されている。外装体本体１３は容器本体１２と同じ素材によって形成されており、上面開口１３ａの周囲のフランジ１３ｂの上面が蓋体３の内面に公知の方法によって剥離可能にヒートシールされている。即ち、容器本体２の上面開口２ａを覆う蓋体３が外装体本体１３の上面開口１３ａを覆う蓋体を兼ねている。本実施形態のその他の構成は第１の実施形態と同様である。
【００３８】
フランジ１３ｂの先端縁に沿って形成される帯状のシール部１４の内縁よりも内側に位置するように通蒸孔１３ｃが形成されており、シール部１４の内縁における通蒸孔１３ｃに対向する部位には、内側に向けて突出し、通蒸孔１３ｃを包含する半円状の突出部１４ａが形成されている。なお、通蒸孔１３ｃの個数及び形状は任意に決めることができる。また、突出部１４ａの形状は、その先端部に剥離力が集中する形状であれば、他の形状であってもよい。
【００３９】
この密封容器１１を電子レンジで加熱すると、不織布６に含浸させた水分が気化して密封包装体４の内圧が上昇し、シール部１４が突出部１４ａの先端部から剥離し始め、剥離が通蒸孔１３ｃに達すると、外装体本体１３内部の気化した水分及び芳香成分が通蒸孔１３ｃを介して外部に噴出し、被調理物Ｘに芳香が与えられる。また、被調理物Ｘに適量の水分が与えられるので、被調理物Ｘが乾燥固化するのを防止することができるとともに被調理物Ｘが美味しく蒸し上がる。その後、第１の実施形態と同様に、蓋体３が容器本体２から剥離して容器本体２の破裂が防止される。
【００４０】
次に、本発明の第３の実施形態を説明する。
図７は第３の実施形態の密封包装体１５の平面図、図８は図７のＣ−Ｃ’線拡大断面図である。
【００４１】
本実施形態では、密封包装体１５の外装体１６が、第１の実施形態の外装体５の素材と同じ素材からなる二枚のシート１７、１８を重ね合わせて周縁部に沿ってヒートシールし、一方のシート１７に、周縁部に形成された帯状のシール部１９の一つの辺の内縁の近傍に位置するように、通蒸孔１７ａを設け、シール部１９の内縁における通蒸孔１７ａに対向する部位に、内側に突出し、通蒸孔１７ａを包含する半円状の突出部１９ａを形成したものである。
【００４２】
なお、突出部１９ａの形状は、その先端部に剥離力が集中する形状であれば、他の形状であってもよい。また、突出部１９ａはシール部１９の他の辺に設けてもよく、複数の箇所に設けるようにしてもよい。また、通蒸孔１７ａの形状もいかなる形状でもよく、例えば、図９に示すようなスリット状や、図１０に示すような長孔状や、図１１に示すように三角形状にすることができる。また、通蒸孔１７ａの個数は任意に決めることができる。また、突出部１９ａや通蒸孔１７ａを設けるかわりに、シール部１９における優先的に開封しようとする辺の幅を他の辺の幅よりも狭くしてもよい。
【００４３】
なお、シート１７、１８が薄手のものである場合には、シート１７、１８をヒートシールする際に、シート１７側のヒートシールバーが通蒸孔１７ａを介してシート１８の熱接着性樹脂層に接触することがあり、この場合、ヒートシールバーに熱接着性樹脂が溶融付着するため、定期的にヒートシールバーを掃除しなければならない。
【００４４】
このような手間を省くため、シート１７側のヒートシールバーにおける通蒸孔１７ａに対向する部位に逃げ孔を設けてヒートシールバーがシート１８の熱接着性樹脂層に接触しないようにすることが考えられるが、この逃げ孔の径が通蒸孔１７ａと同じであると、逃げ孔を通蒸孔１７ａにぴったり合わせなければならないため、ヒートシールバーの見当合わせが非常に困難になる。そこで、逃げ孔の径を通蒸孔１７ａよりも大きくしておけば、ヒートシールバーの位置が多少ずれてもヒートシールバーがシート１８の熱接着性樹脂層に接することがないため、見当合わせが容易となる。この場合には、図１２、１３に示すように、通蒸孔１７ａの周囲に非シール部２０が形成されることになる。
【００４５】
なお、図１４に示すように、シート１８における通蒸孔１７ａに対向する部位に通蒸孔１７ａと同形同大の通蒸孔１８ａを設けるようにしてもよい。このようにすると、通蒸孔１７ａ、１８ａが形成されていないシート１７、１８をヒートシールした後に通蒸孔１７ａ、１８ａを同一工程で同時形成するという製造方法をとることができるため、上述したような問題（ヒートシールバーに熱接着性樹脂が付着する）が生じることはない。
【００４６】
密封包装体１５は、通蒸孔１７ａが被調理物に対向するように蓋体３の内面に貼着される。本実施形態のその他の構成は第１の実施形態と同様である。
【００４７】
電子レンジによる加熱によって、密封包装体１５内部の不織布６に含浸させた水分が気化して密封包装体４の内圧が上昇し、シール部１９が突出部１９ａの先端部から剥離し始め、剥離が通蒸孔１７ａに達すると、外装体１６内部の気化した水分及び芳香成分が通蒸孔１７ａを介して外部に噴出し、被調理物に芳香が与えられる。また、被調理物Ｘに適量の水分が与えられるので、被調理物Ｘの乾燥固化を防止することができるとともに被調理物Ｘが美味しく蒸し上がる。
【００４８】
なお、本発明は上述した実施形態に限定されるものではなく、種々の変更が可能である。
【００４９】
例えば、上述した実施形態では、密封包装体を蓋体の内面に設けているが、密封包装体は、蓋体と容器本体にて形成される内部空間内であれば他の場所に設けるようにしてもよい。
【００５０】
また、上述した実施形態では、密封包装体が開封した後に容器本体が開封するようにしているが、容器本体が先に開封するようにしてもよい。
【００５１】
また、容器本体の外観や手触り感、及び断熱性を向上するために、容器本体の周壁外面を覆うスリーブ状の外装部材や、容器本体の周壁及び底壁の外面を覆う外容器を設けるようにしてもよい。
これら以外にも、本発明の要旨を逸脱しない範囲で種々の変更が可能である。
【００５２】
【発明の効果】
以上説明したように、本発明によれば、容器本体と蓋体にて形成される内部空間内に、電子レンジによる加熱処理によって内圧が上昇して自動的に開封し、芳香成分が外部に放散されるように成した密封包装体を設けたことにより、調理者が芳香成分を被調理物にふりかける必要がないため、手間がかからない。また、被包装物から多量の芳香成分を勢いよく放散させることができるため、芳香成分が被調理物の全体にわたって万遍なくゆきわたりやすい。さらに、芳香成分は密封包装体内部に密封されていて被調理物から隔離されているため、かびが生えにくく、芳香が経時劣化することもない。
【００５３】
請求項２の密封容器によるときは、密封包装体を蓋体の内面に設けたことにより、加熱調理時に被調理物の上面と蓋体の間の空間内に芳香成分を含んだ蒸気が充満し、蓋を容器本体から剥離除去したときにこの蒸気が周囲に放散して香ばしい匂いが漂うため、食する者の食欲を刺激することができ、商品価値が向上する。
【００５４】
請求項３の密封容器によるときは、密封包装体を、気化した水が芳香成分とともに外部に放散されるように成したものであることにより、適量の水分を被調理物に自動的に与えることができ、被調理物の乾燥固化を調理者に手間をかけずに確実に防止することができるとともに被調理物を美味しく蒸し上げることができる。また、かびが生じることもなく、衛生的である。
【００５５】
請求項４の密封容器によるときは、密封包装体を、剥離可能なシール部によって密封された外装体の内部に、芳香成分及び水を含浸させた不織布を収容したものとしたことにより、製造時において芳香成分や水のたれ落ちを防止することができ、取り扱い性が向上するとともに、一定量の芳香成分と水を確実に封入することができるため、密封包装体の開封に要する時間と被調理物に与えられる芳香成分の量を精度良くコントロールすることができ、また、被調理物の乾燥固化をより確実に防止することができるとともに被調理物の蒸し上げ状態を精度良くコントロールすることができる。
【００５６】
請求項５の密封容器によるときは、外装体を扁平な袋体としたことにより、スペース的に有利であるとともに、製造時の取り扱い性が向上する。
【００５７】
請求項６の密封容器によるときは、外装体を、上面が開口したトレー状の外装体本体と、該外装体本体の上面開口を覆うように該上面開口の周囲の部分に剥離可能にシールされた蓋体とからなるものにしたことにより、多数の外装体に内容物を連続して高速で封入することができるため、製造能率が向上する。
【００５８】
請求項７の密封容器によるときは、容器本体の上面開口を封閉する蓋体が密封包装体の外装体本体の上面開口を封閉する蓋体を兼ねるようにしたことにより、部品点数及び製造コストが低減する。
【図面の簡単な説明】
【図１】  本発明の第１の実施形態の密封容器１の斜視図。
【図２】  図１のＡ−Ａ’線断面図。
【図３】  密封包装体４の平面図。
【図４】  密封包装体４の作用の説明図。
【図５】  本発明の第２の実施形態の密封容器１１の斜視図。
【図６】  図５のＢ−Ｂ’線断面図。
【図７】  本発明の第３の実施形態の密封包装体１５の平面図。
【図８】  図７のＣ−Ｃ’線拡大断面図。
【図９】  第３の実施形態の変形例の要部の平面図。
【図１０】  第３の実施形態の変形例の要部の平面図。
【図１１】  第３の実施形態の変形例の要部の平面図。
【図１２】  第３の実施形態の変形例の要部の平面図。
【図１３】  図１２のＤ−Ｄ’線拡大断面図。
【図１４】  第３の実施形態の変形例の要部の拡大断面図。
【符号の説明】
１  密封容器
２  容器本体
３  蓋体
４  密封包装体
【図１】
0004243875.tif 000002
【図２】
0004243875.tif 000003
【図３】
0004243875.tif 000004
【図４】
0004243875.tif 000005
【図５】
0004243875.tif 000006
【図６】
0004243875.tif 000007
【図７】
0004243875.tif 000008
【図８】
0004243875.tif 000009
【図９】
0004243875.tif 000010
【図１０】
0004243875.tif 000011
【図１１】
0004243875.tif 000012
【図１２】
0004243875.tif 000013
【図１３】
0004243875.tif 000014
【図１４】
0004243875.tif 000015